(57)【特許請求の範囲】
【請求項１】
人体局部の洗浄手段と、人体局部の乾燥手段と、使用者の着座検出手段と、リモコンからの信号を受信する本体受信手段と、前記本体受信手段の受信信号に基づいて洗浄手段及び乾燥手段を制御する本体制御手段と、前記着座検出手段により着座状態の変化を検出した時に着座検知又は非着座検知の信号を送信するための本体送信手段とを具備する便座本体と、便座本体の各機能を付勢するための操作手段と、前記操作手段からの信号に基づく信号を送信する送信手段と前記便座本体からの信号を受信する受信手段と便座本体の作動状態を表示するための表示手段と、前記操作手段からの信号及び受信手段からの信号に基づいて前記表示手段を制御するリモコン制御手段とを具備するリモコン送信機とからなるトイレ装置。
【請求項２】
前記操作手段は、洗浄手段を付勢する洗浄スイッチと、乾燥手段を付勢する乾燥スイッチと、洗浄又は乾燥の付勢を停止するための停止スイッチと、洗浄又は乾燥の付勢量を変更するための強スイッチ及び弱スイッチからなり、前記表示手段は、洗浄又は乾燥の付勢量をレベル表示し、前記送信手段は、操作手段により選択された洗浄又は乾燥の信号と、設定された付勢量に応じた信号を合わせて送信すると共に、受信手段からの非着座検知の信号によって、リモコンが保持している強スイッチ及び弱スイッチにより設定された洗浄及び乾燥の付勢量を初期値にもどす請求項１記載のトイレ装置。
【請求項３】
人体局部の洗浄手段と、人体局部の汚れの状態を検知する汚れ検出手段と、リモコンからの信号を受信する本体受信手段と、前記本体受信手段からの信号及び前記汚れ検出手段からの信号に基づいて洗浄手段を制御する本体制御手段と、前記汚れ検出手段の信号に基づく信号を送信するための本体送信手段とを具備する便座本体と、便座本体の各機能を付勢するための操作手段と、便座本体の作動状態を表示するための表示手段と、前記便座本体からの信号を受信する受信手段と、前記操作手段からの信号及び受信手段からの信号に基づいて送信手段および表示手段を制御するリモコン制御手段とを具備するリモコン送信機とからなり、前記リモコン送信機は前記汚れ検出手段の信号に基づく表示を行うトイレ装置。
【請求項４】
人体局部の洗浄手段と、人体局部の乾燥手段と、人体局部の乾燥状態を検知する乾燥検出手段と、リモコンからの信号を受信する本体受信手段と、前記本体受信手段からの信号に基づいて洗浄手段を制御し、本体受信手段と前記乾燥検出手段からの信号により乾燥手段を制御する本体制御手段と、前記乾燥検出手段の信号に基づく信号を送信するための本体送信手段とを具備する便座本体と、便座本体の各機能を付勢するための操作手段と、便座本体の作動状態を表示するための表示手段と、前記便座本体からの信号を受信する受信手段と、前記操作手段からの信号及び受信手段からの信号に基づいて送信手段および表示手段を制御するリモコン制御手段とを具備するリモコン送信機とからなり、前記リモコン送信機は前記乾燥検出手段の信号に基づく表示を行うトイレ装置。
【発明の詳細な説明】
【０００１】
【発明の属する技術分野】
本発明は、表示機能を有するリモコン送信機を用いて洗浄や乾燥の操作を行うトイレ装置に関する。
【０００２】
【従来の技術】
従来、この種のトイレ装置は図５に示すように構成されていた。以下、その構成について説明する。
【０００３】
図に示すように、便座本体１は、人体局部に温水を突出させて洗浄を行う洗浄手段２と、洗浄により塗れた人体局部の乾燥を行う乾燥手段３、リモコン送信機からの信号を受信するための本体受信手段４、本体受信手段４からの信号に基づいて、洗浄手段２及び乾燥手段３を制御するための本体制御手段６から構成されている。
【０００４】
また、リモコン送信機７は便座本体１の洗浄手段２及び乾燥手段３の付勢、停止等の操作を行うための操作手段８、洗浄手段２による洗浄流量の付勢量や乾燥手段３の乾燥温度の付勢量を表示するための表示手段９、便座本体１へ操作信号を送信するための送信手段１０及び操作手段８からの信号に基づいて、表示手段９、送信手段１０を制御するためのリモコン制御手段１２から構成されている。
【０００５】
次にリモコン送信機の構成を図６に示す。図に示すように、操作手段８は、洗浄手段２を付勢するための洗浄スイッチ２１、乾燥手段３を付勢するための乾燥スイッチ２２、洗浄又は乾燥の付勢を停止するための停止スイッチ２３、洗浄又は乾燥の付勢量を変更するための強スイッチ２４、弱スイッチ２５、表示手段６は、５段階で洗浄又は乾燥の付勢量をレベル表示できるように５つのＬＥＤ２６、ＬＥＤ２７、ＬＥＤ２８、ＬＥＤ２９、ＬＥＤ３０で構成されている。
【０００６】
この構成で例えば、洗浄スイッチ２１を操作すると表示手段６のレベル３のＬＥＤ２８が点灯すると共に、送信手段７から洗浄信号と付勢量のレベル３に対応するレベル信号を合わせた信号が便座本体１へ送信される。便座本体１は、前記信号を本体受信手段４で受信して、洗浄手段２を初期値であるレベル３の付勢量で付勢する。また、この状態で強スイッチ２４を操作すると、付勢量はレベル４となり、表示手段６のＬＥＤ２９が点灯すると共に、送信手段７から洗浄信号と付勢量のレベル４に対応するレベル信号を合わせた信号が便座本体１へ送信され、便座本体１は、洗浄手段２の付勢量をレベル４で付勢するようになる。
【０００７】
また、付勢量は約１分間操作が行われなかった場合は、自動的に元の初期レベルであるレベル３に戻して、次の使用者が操作した場合にレベル３から付勢量が始まるようになっている。同様にＬＥＤによるレベル表示も消費電流を抑えるために約１分間操作がなければ消灯するようになっている。
【０００８】
【発明が解決しようとする課題】
しかしながら、このような従来のトイレ装置では、リモコン送信機７にて付勢量を決定して、表示及び送信を行うため、たとえ便座本体１で信号を正常に受信できなくて、動作していないにも関わらず、リモコン送信機７ではレベル表示が行われてしまうという不具合や便座本体１が実際に付勢している付勢量と、表示手段９のレベル表示が合わないといった不具合があった。
【０００９】
また、約１分間操作が無かった場合に、表示を消灯したり、付勢量を初期値であるレベル３に戻しているが、同じ使用者が継続して１分以上使用する場合には表示が勝手に消えてしまう、あるいは勝手にレベルが初期値に戻る、という不具合となっていた。
【００１０】
さらに、リモコン送信機７から便座本体１への一方向による送信であるために便座本体１で、人体局部の汚れ状態を検知して、洗浄を自動停止したり、人体局部の乾燥具合を検知して乾燥を自動停止したりする場合にリモコン送信機７の表示と一致しないと言う不具合があり、このようなトイレ装置には表示手段のついたリモコン送信機は用いることができなかった。
【００１１】
【課題を解決するための手段】
本発明のトイレ装置は、人体局部の洗浄手段と、人体局部の乾燥手段と、使用者の着座検出手段と、リモコンからの信号を受信する本体受信手段と、前記本体受信手段の受信信号に基づいて洗浄手段及び乾燥手段を制御する本体制御手段と、前記着座検出手段により着座状態の変化を検出した時に着座検知又は非着座検知の信号を送信するための本体送信手段とを具備する便座本体と、便座本体の各機能を付勢するための操作手段と、前記操作手段からの信号に基づく信号を送信する送信手段と前記便座本体からの信号を受信する受信手段と便座本体の作動状態を表示するための表示手段と、前記操作手段からの信号及び受信手段からの信号に基づいて前記表示手段を制御するリモコン制御手段とを具備するリモコン送信機とからなることを第１の課題解決手段としている。
【００１３】
さらに、人体局部の洗浄手段と、人体局部の汚れの状態を検知する汚れ検出手段と、リモコンからの信号を受信する本体受信手段と、前記本体受信手段からの信号及び前記汚れ検出手段からの信号に基づいて洗浄手段を制御する本体制御手段と、前記汚れ検出手段の信号に基づく信号を送信するための本体送信手段とを具備する便座本体と、便座本体の各機能を付勢するための操作手段と、便座本体の作動状態を表示するための表示手段と、前記便座本体からの信号を受信する受信手段と、前記操作手段からの信号及び受信手段からの信号に基づいて送信手段および表示手段を制御するリモコン制御手段とを具備するリモコン送信機とからなり、前記リモコン送信機は前記汚れ検出手段の信号に基づく表示を行うこと、あるいは人体局部の洗浄手段と、人体局部の乾燥手段と、人体局部の乾燥状態を検知する乾燥検出手段と、リモコンからの信号を受信する本体受信手段と、前記本体受信手段からの信号に基づいて洗浄手段を制御し、本体受信手段と前記乾燥検出手段からの信号により乾燥手段を制御する本体制御手段と、前記乾燥検出手段の信号に基づく信号を送信するための本体送信手段とを具備する便座本体と、便座本体の各機能を付勢するための操作手段と、便座本体の作動状態を表示するための表示手段と、前記便座本体からの信号を受信する受信手段と、前記操作手段からの信号及び受信手段からの信号に基づいて送信手段および表示手段を制御するリモコン制御手段とを具備するリモコン送信機とからなり、前記リモコン送信機は前記乾燥検出手段の信号に基づく表示を行うことを第２の課題解決手段としている。
【００１４】
【発明の実施の形態】
本発明は上記第１の課題解決手段により、リモコン送信機から便座本体への信号送信を確実に行うことのできるトイレ装置の提供することが可能となる。
【００１５】
また、第２の課題解決手段により、使用者が長時間継続して使用する場合の不具合を無くすことのできるトイレ装置の提供することが可能となる。
【００１６】
更に、第３および第４の課題解決手段により、便座本体の動作状態をリモコン送信機側で表示できるトイレ装置の提供することが可能となるのである。
【００１７】
（実施例１）
以下、本発明の第１の実施例を添付図面に基づいて説明する。なお従来例と同じ構成のものは同一符号を付して説明を省略する。
【００１８】
図１に示すように、便座本体１は、洗浄手段２、乾燥手段３、本体受信手段４、本体制御手段６および本体受信手段４で受信した信号に基づいた信号をリモコン送信機７に送信する本体送信手段５から構成されている。
【００１９】
また、リモコン送信機７は操作手段８、表示手段９、送信手段１０、便座本体１からの信号を受信する受信手段１１および操作手段８からの信号と受信手段１１からの信号に基づいて、表示手段９、送信手段１０を制御するためのリモコン制御手段１２から構成されている。
【００２０】
上記構成において、リモコン送信機７の洗浄スイッチ２１を操作すると、リモコン制御手段１２は、表示手段９によりＬＥＤ２８を点灯してレベル３の表示を行うと共に、送信手段７により洗浄信号と付勢量のレベル３に対応するレベル信号を合わせた信号を便座本体１へ送信する。便座本体１は、前記信号を本体受信手段４で受信して、洗浄手段を初期値であるレベル３の付勢量で付勢すると共に、本体送信手段は、受信した信号が洗浄信号でかつ付勢量がレベル３の信号であることを本体送信手段５を用いて、リモコン送信機７に送信する。次にリモコン送信機７では、この便座本体１からの信号を受信手段１１で受信して、送信した内容と一致することを確認することができ本体が正常に受信したかどうかを判断できる。従って、もしも一致しなければ再度同じ操作信号を送信することが可能となり、リモコン送信機７から便座本体１への信号送信を確実に行うことのできるトイレ装置を提供することができるのである。
【００２１】
なお、リモコン送信機７から信号を送信した後の一定期間に便座本体１からの信号を受信できない場合も、再度送信することで、リモコン送信機７から便座本体１への信号送信を確実に行うことができる。
【００２２】
さらに、再度の送信を繰り返しても正規の信号が返送されない場合便座本体の異常、もしくはリモコン送信機７からの信号が便座本体１に届かないいわゆる電池切れと判断して、リモコン送信機７の表示手段９により表示することができる。
【００２３】
（実施例２）
次に本発明の第２の実施例を図２を参照しながら説明する。なお従来例と同じ構成のものは同一符号を付して説明を省略する。
【００２４】
図２に示すように、便座本体１は、洗浄手段２、乾燥手段３、本体受信手段４、本体制御手段６、使用者の着座の有無を検出する着座検出手段１３および着座検出手段１３で、着座状態の変化すなわち着座状態から非着座状態に変わったことを検出した際あるいは非着座状態から着座状態に変わったことを検出した際に特定の信号をリモコン送信機７に送信する本体送信手段５から構成されている。
【００２５】
また、リモコン送信機７は操作手段５、表示手段６、送信手段７、便座本体１からの信号を受信する受信手段１１および操作手段８からの信号と受信手段１１からの信号に基づいて、表示手段９、送信手段１０を制御するためのリモコン制御手段１２から構成されている。
【００２６】
上記構成において、リモコン送信機７で便座本体１の使用者の有無を判断できるため、着座中のみリモコンによる操作を可能としたり、あるいはリモコンの表示にＬＣＤを用いている場合には着座中のみバックライトを点灯して視認性を向上すると共に最小限の消費電流に抑えることも可能となる。
【００２７】
また、第５図に示す従来のリモコン送信機７では約１分操作がなければ初期値に戻していた付勢量を非着座すなわち使用者が使い終わった後に便座本体１から送信される信号に同期して初期値に戻すことが可能となり従来のように勝手に付勢量が初期値に戻るといった不具合を解消できるのである。
【００２８】
（実施例３）
次に本発明の第３の実施例を図３を参照しながら説明する。なお従来例と同じ構成のものは同一符号を付して説明を省略する。
【００２９】
図３に示すように、便座本体１は、洗浄手段２、乾燥手段３、本体受信手段４、人体局部の汚れの状態を検出する汚れ検出手段１４、前記本体受手段からの信号および汚れ検出手段１４からの信号に基づいて洗浄手段２を制御する本体制御手段６、前記汚れ検出手段１４の信号に基づいた信号をリモコン送信機７に送信する本体送信手段４から構成されている。
【００３０】
また、リモコン送信機７は操作手段８、表示手段９、送信手段１０、便座本体１からの信号を受信する受信手段１１および操作手段８からの信号と受信手段１１からの信号に基づいて、表示手段９、送信手段１０を制御するためのリモコン制御手段１２から構成されている。
【００３１】
上記構成において、本体制御手段６は洗浄手段２を付勢中に汚れ検出手段により人体局部の汚れ状態を検出し、局部の汚れがなくなったら洗浄手段２の付勢を停止すると共に、本体送信手段５によりリモコン送信機７に洗浄の終了信号を送信する。リモコン送信機７は、便座本体１からの終了信号を受信すると表示を消灯することができる。また、人体局部の汚れの状態を検出してその状態に応じた信号をリモコン送信機７に送信することでリモコン送信機７の表示手段９を用いて汚れの状態を表示したりあるいは洗浄終了までの予定時間を表示することも可能となる。
【００３２】
（実施例４）
次に本発明の第４の実施例を図４を参照しながら説明する。なお従来例と同じ構成のものは同一符号を付して説明を省略する。
【００３３】
図４に示すように、便座本体１は、洗浄手段２、乾燥手段３、本体受信手段４、人体局部の乾燥の状態を検出する乾燥検出手段１５、前記本体受手段からの信号および乾燥検出手段１５からの信号に基づいて乾燥手段３を制御する本体制御手段６、前記乾燥検出手段１５の信号に基づいた信号をリモコン送信機７に送信する本体送信手段４から構成されている。
【００３４】
また、リモコン送信機７は操作手段８、表示手段９、送信手段１０、便座本体１からの信号を受信する受信手段１１および操作手段８からの信号と受信手段１１からの信号に基づいて、表示手段９、送信手段１０を制御するためのリモコン制御手段１２から構成されている。
【００３５】
上記構成において、本体制御手段６は乾燥手段３を付勢中に乾燥検出手段１５により人体局部の乾燥状態を検出し、乾燥状態に応じて温風温度を変更すると共に本体送信手段５によりリモコン送信機７に現在付勢中の乾燥温度信号を送信してリモコン送信機７の表示手段９により温度表示したり、局部が乾燥したら乾燥手段３の付勢を停止すると共に、本体送信手段５によりリモコン送信機７に洗浄の終了信号をすることで表示を消灯することができる。
【００３６】
以上のように本実施例によれば、便座本体とリモコン送信機の間で双方向の通信を行うことで今までにない使い勝手の良いトイレ装置を提供できるのである。
【００３７】
【発明の効果】
以上の実施例から明らかなように、本発明のトイレ装置によれば、次の効果が得られる。
【００３８】
（１）リモコン送信機から便座本体への信号送信を確実に行うことのできるトイレ装置の提供が可能となる。
【００３９】
（２）使用者が長時間継続して使用する場合に付勢量が勝手に初期値に戻ったり、表示が消灯してしまう不具合を無くすことのできるトイレ装置の提供が可能となる。
【００４０】
（３）便座本体の洗浄や乾燥の付勢状態をリモコン送信機側で表示できるトイレ装置の提供が可能となるのである。
【図面の簡単な説明】
【図１】本発明の第１の実施例のトイレ装置のブロック図
【図２】本発明の第２の実施例のトイレ装置のブロック図
【図３】本発明の第３の実施例のトイレ装置のブロック図
【図４】本発明の第４の実施例のトイレ装置のブロック図
【図５】従来のトイレ装置のブロック図
【図６】リモコン送信機の構成図
【符号の説明】
１  便座本体
２  洗浄手段
３  乾燥手段
４  本体受信手段
５  本体送信手段
６  本体制御手段
７  リモコン送信機
８  操作手段
９  表示手段
１０  送信手段
１１  受信手段
１２  リモコン制御手段
１３  着座検出手段
１４  汚れ検出手段
１５  乾燥検出手段
【図１】
0003564857.tif 000002
【図２】
0003564857.tif 000003
【図３】
0003564857.tif 000004
【図４】
0003564857.tif 000005
【図５】
0003564857.tif 000006
【図６】
0003564857.tif 000007